(57)【要約】  【課題】  回転ロータを構成する個々の部品を分解して分別廃棄することができる回転ロータを提供する。  【解決手段】  機器に回転自在に取着されると共に、外周長手方向に少なくとも１条の支持溝を有するロータ１と、清掃体２と、該清掃体２のスラスト方向の抜けを防止する為の規制部材４とを備えた回転ロータ１２において、該回転ロータ１２は、少なくとも締付用頭部３ｃ、軸部３ｂ、及びネジ部３ａを有する回転軸３にて前記規制部材４が前記ロータ１にたいして着脱可能に装着されてある。【選択図】図１
2010172567.tif 000002
【特許請求の範囲】
【請求項１】
機器に回転自在に取着されると共に、外周長手方向に少なくとも１条の支持溝を有するロータと、清掃体と、該清掃体のスラスト方向の抜けを防止する為の規制部材とを備えた回転ロータにおいて、該回転ロータは、少なくとも締付用頭部、軸部、及びネジ部を有する回転軸にて前記規制部材が前記ロータにたいして着脱可能に装着されてあることを特徴とする回転ロータ。
【請求項２】
機器に回転自在に取着されると共に、外周長手方向に少なくとも１条の支持溝を有するロータと、清掃体と、該清掃体のスラスト方向の抜けを防止する為の規制部材を備えた回転ロータにおいて、該回転ロータは、少なくとも締付用頭部、及びネジ部を有するネジ部材にたいして、軸部を構成する中空軸を挿入固定した回転軸にて、前記規制部材が前記ロータにたいして着脱可能に装着されてあることを特徴とする回転ロータ。
【請求項３】
機器に回転自在に取着されると共に、外周長手方向に少なくとも１条の支持溝を有するロータと、清掃体と、該清掃体のスラスト方向の抜けを防止する為の規制部材とを備えた回転ロータにおいて、該回転ロータは、少なくとも締付用頭部、軸部、及びネジ部を有する回転軸にたいして、前記規制部材を螺合すると共に、前記回転軸が前記ロータにたいして着脱可能に装着されてあることを特徴とする回転ロータ。
【請求項４】
請求項１〜３のいずれか１項に記載の回転ロータを回転自在に設けたことを特徴とする電気掃除機用床吸込具。
【請求項５】
電動送風機と、請求項４に記載の電気掃除機用床吸込具とを備え、前記電動送風機と前記電気掃除機用床吸込具とを連通させたことを特徴とする電気掃除機。
【請求項６】
空気を熱交換する熱交換器と、該熱交換器の上流側に配されて流入する空気中に含まれる塵埃を捕集するエアフィルターと、請求項１〜３のいずれか１項に記載の回転ロータとを備え、該回転ロータにて前記エアフィルターで捕集された塵埃を除去するようにしたことを特徴とする空気調和機。
【発明の詳細な説明】
【技術分野】
【０００１】
本発明は、電気掃除機又は空気調和機に使用される回転ロータと、この回転ロータを組込んだ電気掃除機用床吸込具と、電気掃除機、及び空気調和機に関するものである。
【背景技術】
【０００２】
従来より、電気掃除機又は空気調和機に内蔵されている回転ロータは、回転自在に取着されており、外周の長手方向に支持溝を有する回転軸を備えたロータと、このロータの支持溝に挿入される清掃体と、清掃体がロータから抜けるのを防止する為の規制部材とを備えているものが知られている（特許文献１〜３）。これらの回転ロータは、規制部材と回転軸とが一体となっていると共に、ロータの両端部に規制部材の凹部が圧入され嵌合されて清掃体の抜け止めがなされていた。
【先行技術文献】
【特許文献】
【０００３】
【特許文献１】特開平０７−１２４０８５号公報
【特許文献２】特開平０７−０３９４９２号公報
【特許文献３】特開平０７−００８４２１号公報
【発明の概要】
【発明が解決しようとする課題】
【０００４】
上記の構成を備えた従来の回転ロータでは、清掃体のみの交換を行うことができず、経年の使用により、清掃体が劣化した場合には、回転ロータ単位で交換しなければならなかった。また、近年環境保護、資源保護等の理由から製造物のリサイクルが重要性を増してきており、清掃体、ロータ、回転軸、及び規制部材の各々に分解して分別廃棄することが必要となっていた。
【０００５】
本発明は上記点に鑑み、回転ロータを構成する個々の部品を分解して分別廃棄することができる回転ロータと、この回転ロータを備えた電気掃除機用床吸込具と、電気掃除機、及び空気調和機を提供することを目的とする。
【課題を解決するための手段】
【０００６】
請求項１の発明では、機器に回転自在に取着されると共に、外周長手方向に少なくとも１条の支持溝を有するロータと、清掃体と、該清掃体のスラスト方向の抜けを防止する為の規制部材とを備えた回転ロータにおいて、該回転ロータは、少なくとも締付用頭部、軸部、及びネジ部を有する回転軸にて前記規制部材が前記ロータにたいして着脱可能に装着されてあることを特徴としている。したがって、回転ロータを構成する回転軸と、規制部材と、ロータと、清掃体とを分離することができるので、清掃体の交換作業が容易となると共に、容易に分別廃棄することが可能となる。
【０００７】
請求項２の発明では、機器に回転自在に取着されると共に、外周長手方向に少なくとも１条の支持溝を有するロータと、清掃体と、該清掃体のスラスト方向の抜けを防止する為の規制部材を備えた回転ロータにおいて、該回転ロータは、少なくとも締付用頭部、及びネジ部を有するネジ部材にたいして、軸部を構成する中空軸を挿入固定した回転軸にて、前記規制部材が前記ロータにたいして着脱可能に装着されてあることを特徴としている。したがって、回転ロータを構成する回転軸をネジ部材と中空軸とに分離できると共に、規制部材と、ロータと、清掃体とを分離することができるので、清掃体の交換作業が容易となると共に、容易に分別廃棄することが可能となる。また、ネジ部材として市販品のネジを使用できるので、回転ロータの製造コストを低減できる。
【０００８】
請求項３の発明では、機器に回転自在に取着されると共に、外周長手方向に少なくとも１条の支持溝を有するロータと、清掃体と、該清掃体のスラスト方向の抜けを防止する為の規制部材とを備えた回転ロータにおいて、該回転ロータは、少なくとも締付用頭部、軸部、及びネジ部を有する回転軸にたいして、前記規制部材を螺合すると共に、前記回転軸が前記ロータにたいして着脱可能に装着されてあることを特徴としている。したがって、ロータと回転軸とが簡易な手段で着脱可能に確実に固定されると共に、規制部材とロータとの間も着脱可能に確実に固定され、さらに、回転軸と規制部材との間も着脱可能に確実に固定されるので、清掃体の抜けを確実に防止することができると共に、回転ロータを構成する回転軸と、規制部材と、ロータと、清掃体とを分離することができるので、清掃体の交換作業が容易となり、容易に分別廃棄することも可能となる。
【０００９】
請求項４の発明は、電気掃除機用床吸込具の発明であって、請求項１〜３のいずれか１項に記載の回転ロータを回転自在に設けたことを特徴としている。したがって、ロータと回転軸及びロータと規制部材との間が簡易な手段で着脱可能に固定され、回転ロータを構成する回転軸と、規制部材と、ロータと、清掃体とを分離することができる回転ロータを備えた電気掃除機用床吸込具である。
【００１０】
請求項５の発明は、電気掃除機の発明であって、電動送風機と、請求項４に記載の電気掃除機用床吸込具とを備え、前記電動送風機と前記電気掃除機用床吸込具とを連通させたことを特徴としている。したがって、ロータと回転軸及びロータと規制部材との間が簡易な手段で着脱可能に固定され、回転ロータを構成する回転軸と、規制部材と、ロータと、清掃体とを分離することができる回転ロータを備えた電気掃除機用床吸込具を備えた電気掃除機であるので、清掃体の交換作業が容易となると共に、製造コストを低減でき、容易に分別廃棄することが可能となる。
【００１１】
請求項６の発明は、空気調和機の発明であって、空気を熱交換する熱交換器と、該熱交換器の上流側に配されて流入する空気中に含まれる塵埃を捕集するエアフィルターと、請求項１〜３のいずれか１項に記載の回転ロータとを備え、該回転ロータにて前記エアフィルターで捕集された塵埃を除去するようにしたことを特徴としている。したがって、ロータと回転軸及びロータと規制部材との間が簡易な手段で着脱可能に固定された回転ロータを備えた空気調和機であり、清掃体の交換作業が容易となると共に、製造コストを低減でき、容易に分別廃棄することが可能となる。
【発明の効果】
【００１２】
請求項１〜３の発明では、ロータと回転軸とが簡易な手段で着脱可能に確実に固定されると共に、規制部材とロータとの間も着脱可能に確実に固定され、回転ロータを構成する回転軸と、ロータと、清掃体等とを分離することができるので、清掃体の交換作業が容易となると共に、容易に分別廃棄することが可能となる回転ロータを提供することができる。また、請求項４の発明では、請求項１〜３のいずれかの回転ロータを備えた電気掃除機用床吸込具を提供することができる。また、請求項５の発明では、請求項４の電気掃除機用床吸込具を備えた電気掃除機を提供することができる。さらに、請求項６の発明では、請求項１〜３のいずれかの回転ロータを備えた空気調和機を提供することができる。
【図面の簡単な説明】
【００１３】
【図１】本発明の第１実施形態を示す断面図である。
【図２】本発明の第２実施形態を示す断面図である。
【図３】本発明の第３実施形態を示す断面図である。
【図４】本発明の回転ロータを備えた電気掃除機用床吸込具を示す斜視図である。
【図５】本発明の電気掃除機用床吸込具を備えた電気掃除機を示す側面図である。
【図６】本発明の回転ロータを備えた空気調和機を示す説明図である。
【発明を実施するための形態】
【００１４】
次に、本発明の実施形態を図面に基づいて説明する。図１は、本発明に係る回転ロータの第１の実施形態を示す断面図である。この図に示すように、回転ロータ１２は、ロータ１の外周長手方向に形成された支持溝に清掃体２が挿入されており、清掃体２は、スラスト方向（清掃体２の長手方向）へスライドするようにして、ロータ１の一端近傍から他端近傍の支持溝に配置される。ロータ１の端部には規制部材４が嵌合して清掃体２が、そのスラスト方向に沿って支持溝から抜けでるのを防止している。このロータ１と規制部材４の固定を確実なものとするために、ネジで形成された回転軸３がロータ１と螺合している。
【００１５】
即ち、回転軸３は、締付用頭部３ｃと、軸部３ｂと、ネジ部３ａとから構成されてあり、ネジ部３ａがロータ１と螺合しているのである。そして、軸部３ｂはベアリング６の内側と接触しており、このベアリング６の外側は、固定部材５に接触している。固定部材と規制部材４との間にはワッシャ７が挿入されてあり、ベアリング６と回転軸３の締付用頭部３ｃとの間にもワッシャ７が挿入されてある。そして、固定部材５は電気掃除機用床吸込具の本体ケース或いは空気調和機の本体ケース１０等に固定されるのである。また、規制部材４の外周にはプーリ８が装着されており、このプーリ８に図示しない回転駆動体と連結されてベルト９が掛けられている。
【００１６】
上記構成としたことによって、使用により清掃体２が擦り減る等した場合に、清掃体２を交換する作業は、ドライバーで回転軸３をロータ１から取り外すだけで清掃体２の装着されたロータ１を取り出すことができるので、清掃体２の交換作業は極めて容易に行うことができる。また、回転軸３と、規制部材４と、ロータ１と、清掃体２とに各々分解することができるので、容易に分別廃棄することができる。
【００１７】
図２は、本発明に係る回転ロータの第２の実施形態を示す断面図である。尚、上述した第１の実施形態と相違する部分だけを説明し、その他の部分は省略する。この第２の実施形態の回転ロータ１２ａでは、回転軸３３は、締付用頭部３３ｃと、ネジ部３３ａとから形成されたネジ部材と、中空軸１１とで形成されてあり、この中空軸１１は、ネジ部３３ａの締付用頭部３３ｃ側の外周に挿入されてある。上記構成とすることによって、中空軸１１がベアリング６と接触することとなる。尚、中空軸１１の内周と、ネジ部材のネジ図３３ａとは強固に嵌合して結合されてある。したがって、図１で示した第１の実施形態と同様に、使用により清掃体２が擦り減る等した場合に、清掃体２を交換する作業は、ドライバーで回転軸３をロータ１から取り外すだけで清掃体２の装着されたロータ１を取り出すことができるので、清掃体２の交換作業は極めて容易に行うことができる。また、回転軸３３と、中空軸１１と、規制部材４と、ロータ１と、清掃体２とに各々分解することができるので、容易に分別廃棄することができる。
【００１８】
図３は、本発明に係る回転ロータの第３の実施形態を示す断面図である。尚、上述した第１及び第２の実施形態と相違する部分だけを説明し、その他の部分は省略する。この第３の実施形態の回転ロータ１２ｂでは、回転軸３は、第１の実施形態と同様に、締付用頭部３ｃと、軸部３ｂと、ネジ部３ａとから構成されてあり、軸部３ｂの一部と、規制部材４の一部に形成されたネジ部４ａとが螺合されてあると共に、ネジ部３ａと、ロータ１とが螺合されてある。また、ベアリング６は固定部材５に圧入等により勘合されてある。上記構成とすることによって、規制部材４と回転軸３を螺合にて一体化できると共に、着脱可能に確実に固定されるのである。したがって、図１で示した第１の実施形態、図２で示した第２の実施形態と同様に、使用により清掃体２が擦り減る等した場合に、清掃体２を交換する作業は、ドライバーで回転軸３をロータ１から取り外すだけで清掃体２の装着されたロータ１を取り出すことができるので、清掃体２の交換作業は極めて容易に行うことができる。また、回転軸３と、規制部材４と、ロータ１と、清掃体２とに各々分解することができるので、容易に分別廃棄することができる。
【００１９】
図４は、本発明に係る回転ロータを備えた電気掃除機用床吸込具を示す一部分解斜視図である。この図に示す電気掃除機用床吸込具２０の下ケース２１の前部３０の底部３１に開口する吸込口２２に清掃体２の開放端が臨むようにして軸受４１を下ケース２１の両側部の軸受支工２３にはめ合せて保持していると共に、回転ロータ４０の駆動装置は、ベルト１４を介して前記回転ロータ４０を駆動回転する。下ケース２１に設ける仕切２４から後部分において下ケース２１にかぶせている上ケース２５とによって構成する後部２６に内蔵している。
【００２０】
回転ロータ４０をとりつけた下ケース２１の部分には、着脱自在に前ケース（図示していない）をかぶせた前部３０が構成されてあり、この中で回転ロータ４０が回転すると清掃体２の開放端が吸込口２２において床面と接触摩擦して床面に付着している塵を離脱し跳上げる。電気掃除機用床吸込具２０は、上記下ケース２１の仕切２４の中央部に吸入開口２８を設け、後部２６に上ケース２５と下ケース２１とにはさんでパイプ２９をとりつけこれを延長管やフレキシブルホース（ともに図示していない）を経由して掃除機本体（図示していない）へ接続している。掃除機を運転すると電気掃除機用床吸込具２０の吸込口２２から床面の空気が吸入され、上記吸入開口２８、パイプ２９を通って掃除機へ吸い込まれる。このとき、清掃体２が回転する事により、床面の塵は跳ね上げられて空気と共に吸入される。
【００２１】
図５は、上述した回転ロータを備えた電気掃除機用床吸込具を接続した電気掃除機の全体側面図である。電気掃除機１００は、前部に塵埃を捕集する集塵室５１と、後部に電動送風機５２を内蔵した電動送風機室５３をそれぞれ備えた掃除機本体５０と、集塵室５１に連通するように一端が掃除機本体５０に接続されるホース５４と、ホース５４の他端に設けられたハンドルパイプ５５に着脱自在に接続される延長管５６とを備え、延長管５６の他端に、電気掃除機用床吸込具２０が接続される。
【００２２】
上記構成により、掃除機本体５０を運転し、ハンドルパイプ５５を操作して、電気掃除機用床吸込具２０をフローリングやじゅうたん上で操作すると、電気掃除機用床吸込具２０に内蔵されたモータにより回転ロータが回転し、塵埃が軟質ブレードや起毛布により掻き上げられ、電動送風機５２による吸引力で、空気と共に塵埃が、延長管５６、ホース５４を通って集塵室５１に流れ込みそこで塵埃が捕集される。
【００２３】
図６は、上述した回転ロータを備えた空気調和機を示す説明図である。空気調和機本体６０は、熱交換器６１と、室内の空気を取り入れる吸込口６２と、前記熱交換器６１と吸込口６２の間に配され、吸込口６２から流入する空気中に含まれる塵埃を捕獲するエアフィルター６３と、エアフィルター６３の上流側に配されると共に、エアフィルター６３で捕獲された塵埃を除去する回転ロータ１２と、回転ロータ１２を回転駆動する回転駆動手段（図示せず）と、回転ロータ１２をエアフィルター６３の上流側の表面に沿って上下方向に移動させる上下移動手段（図示せず）と、吸込口６２から室内の空気を吸引し、エアフィルター６３、熱交換器６１を通して、吹き出し口６４から、熱交換された空気を室内に吹き出すファン６５とを備えている。
【００２４】
尚、本発明の趣旨を逸脱しない範囲で様々な実施形態を採用することができることは言うまでもない。
【産業上の利用可能性】
【００２５】
本発明の回転ロータ、電気掃除機用床吸込具、電気掃除機、及び空気調和機は、各種清掃作業を行うことができる回転ロータを備えた電気掃除機として、或いはエアフィルターの清掃を行うことができる回転ロータを備えた空気調和機として利用される。
【符号の説明】
【００２６】
１  ロータ
２  清掃体
３  回転軸
３ａ、４ａ  ネジ部
３ｂ  軸部
３ｃ  締付用頭部
４  規制部材
５  固定部材
６  ベアリング
７  ワッシャ
８  プーリ
９  ベルト
１０  本体ケース
１１  中空軸
１２、１２ａ、１２ｂ  回転ロータ
２０  電気掃除機用床吸込具
５０  掃除機本体
６０  空気調和機本体
１００  電気掃除機
【図１】
2010172567.tif 000003
【図２】
2010172567.tif 000004
【図３】
2010172567.tif 000005
【図４】
2010172567.tif 000006
【図５】
2010172567.tif 000007
【図６】
2010172567.tif 000008